(57)【要約】【課題】水を掻く抵抗を少し大きくして、泳ぎやすい水掻き補助具を提供する。【解決手段】手Ｈの母指Ｈ１を除いた指Ｈ２〜Ｈ５のうち、人差し指Ｈ２と中指Ｈ３とが挿通される筒状部２ａ，２ｂと、該各筒状部２ａ，２ｂの間を連結する板状の水掻き部１０と、筒状部２ａ，２ｂの掌側に形成される孔３と、筒状部２ａ，２ｂの手Ｈの甲側に形成される摘み部５とで構成される。【選択図】図１
2010124930.tif 000002
【特許請求の範囲】
【請求項１】
手（Ｈ）の母指（Ｈ１）を除いた指（Ｈ２〜Ｈ４）のうち、隣り合う２又は３つの指（Ｈ２，Ｈ３）のそれぞれが挿通される筒状部（２ａ，２ｂ）と、該各筒状部（２ａ，２ｂ）の間を連結する板状の水掻き部（１０）とを備えたことを特徴とする水掻き補助具。
【請求項２】
上記筒状部（２ａ，２ｂ）は、人差し指（Ｈ２）と中指（Ｈ３）とが挿通されてなることを特徴とする請求項１に記載の水掻き補助具。
【請求項３】
上記筒状部（２ａ，２ｂ）の少なくとも掌側に孔（３）が形成されてなることを特徴とする請求項１又は２に記載の水掻き補助具。
【請求項４】
上記筒状部（２ａ，２ｂ）の手（Ｈ）の甲側に筒状部（２ａ，２ｂ）の挿入脱用の摘み部（５）が突設されてなることを特徴とする請求項１乃至３のいずれか１項に記載の水掻き補助具。
【請求項５】
上記水掻き部（１０Ａ）の掌側の面に、所定の間隔をおいて複数の突起（１１，…）が配置されてなることを特徴とする請求項１乃至４のいずれか１項に記載の水掻き補助具。
【請求項６】
上記水掻き部（１０Ｂ）は、波形状に形成されてなることを特徴とする請求項１乃至５のいずれか１項に記載の水掻き補助具。
【発明の詳細な説明】
【技術分野】
【０００１】
本発明は、例えばサーフィン、水中ウォーキング、アクアビクス、水泳をする際に、人の指に装着して水を掻きやすくする水掻き補助具に関する。
【背景技術】
【０００２】
従来のこの種水掻き補助具としては、母指〜小指に挿通される筒状部と、各筒状部の間に設けられる水掻き部とを備えたものが公知になっている（特許文献１）。
【特許文献１】登録実用新案第３１０７９３５号公報
【発明の開示】
【発明が解決しようとする課題】
【０００３】
しかしながら、前記従来の水掻き補助具は、母指〜小指の隣り合う指の間にそれぞれ水掻き部が設けられているので、水を掻くのに抵抗が大きくなり、泳ぎにくくなると考えられる。
【０００４】
そこで、本発明は上記問題点に鑑み、体へ負担をあまりかけることなく、水を掻く抵抗を少し大きくして、泳ぎやすい水掻き補助具を提供することを目的とする。
【課題を解決するための手段】
【０００５】
上記課題を解決するために、本発明に係る水掻き補助具は、手Ｈの母指Ｈ１を除いた指Ｈ２〜Ｈ４のうち、隣り合う２又は３つの指Ｈ２，Ｈ３のそれぞれが挿通される筒状部２ａ，２ｂと、該各筒状部２ａ，２ｂの間に設けられる板状の水掻き部１０とを備えたことを特徴とする。
【０００６】
この場合、母指Ｈ１を除く隣り合う２又は３つの指Ｈ２，Ｈ３の間に板状の水掻き部１０を設けるようにしたので、母指Ｈ１〜小指Ｈ５の間に板状の水掻き部を設けるのに比して、水を掻く際の抵抗が小さくなり、効率よく水を掻くことができる。また、母指Ｈ１を除く指で物を把持することができる。
【０００７】
また、本発明によれば、上記筒状部２ａ，２ｂに、人差し指Ｈ２と中指Ｈ３とを挿通するような構成を採用することもできる。
【０００８】
この場合、水を掻くと、掌側に水の抵抗を受けることになるが、人差し指Ｈ２を境にして、母指側と小指側とでは、水を掻く力の配分が母指側の方が大きいと考えられる。また、人差し指Ｈ２と中指Ｈ３との間の空間が水に対しての接触面積が最も大きいと考えられる。このため、人差し指Ｈ２と中指Ｈ３の間に板状の水掻き部１０を設けることで、水を掻く効果が大きくなると推察できる。一方、母指Ｈ１と人差し指Ｈ２の間に水掻き部１０を設けることも考えられるが、母指Ｈ１が他の指Ｈ２〜Ｈ５に比して短いということや、掌からやや側方に延出されているので、水を掻くには、母指Ｈ１と人差し指Ｈ２との空間を、水に対しての接触面積が大きくなるよう方向付け、又は意識する必要があり、その状態で泳ぎ続けるのは困難である。これに対して、人差し指Ｈ２と中指Ｈ３との間の空間であれば、水に対して手の方向付け、又はそれを意識することなく、ごく自然体で水に対して大きい接触面積を確保できる。
【０００９】
また、本発明によれば、筒状部２ａ，２ｂの少なくとも掌側に孔３を形成するような構成を採用することもできる。
【００１０】
この場合、指Ｈ２，Ｈ３の動きによって、孔３の周縁部が伸展することがなく、筒状部２ａ，２ｂの強度を確保できる。また、指Ｈ２，Ｈ３を動かすことで、筒状部２ａ，２ｂに溜まる水を孔３から外部に排水できるようになり、筒状部２ａ，２ｂが指Ｈ２，Ｈ３に密着した状態を維持できるようになる。
【００１１】
また、本発明によれば、筒状部２ａ，２ｂの手Ｈの甲側に摘み部５を形成するような構成を採用することもできる。
【００１２】
筒状部２ａ，２ｂを指Ｈ２，Ｈ３に装着する場合、筒状部２ａ，２ｂを指Ｈ２，Ｈ３に密着させつつ、指Ｈ２，Ｈ３の根元側に引っ張ることになるが、摘み部５を引っ張ることで、指Ｈ２，Ｈ３に対する筒状部２ａ，２ｂの密着する部位が少なくなり、その分装着しやすくなる。一方、筒状部２ａ，２ｂを指Ｈ２，Ｈ３から取り外す場合、指Ｈ２，Ｈ３に密着していた部位が部分的に離間するようになるので、その分筒状部２ａ，２ｂを取り外しやすくなる。
【００１３】
また、本発明によれば、上記水掻き部１０Ａの掌側の面に、所定の間隔をおいて複数の突起１１，…を形成するような構成を採用することもできる。
【００１４】
この場合、水掻き部１０Ａの掌側の面に、所定の間隔をおいて複数の突起１１，…を形成するようにしたので、水が水掻き部１０Ａの突起１１，…の間を上流側から下流側に流れることになる。即ち、各突起１１，…によって、複数の流路を形成しつつ、水を掻く際の、水に対する抵抗を少しもつことになり、推進力が落ちるのを補助することができ、体に負担をかけることなく、水を掻くことができる。
【００１５】
また、本発明によれば、上記水掻き部１０Ｂを波形状に形成するような構成を採用することもできる。
【００１６】
この場合、水掻き部１０Ｂは、水を掻く際の、指Ｈ２，Ｈ３の微妙な閉じ開きの動きに追従することができると共に、波形状による凹凸によって、水掻き部１０Ｂに対して、水が上流側から下流側に流れる流路が形成されるようになり、水に対する抵抗力が少し大きくなり、推進力を落とすことなく、しかも、体に負担をかけることなく、水を掻くことができる。
【発明の効果】
【００１７】
以上説明したように、本発明によれば、手の母指を除いた指のうち、隣り合う２又は３つの指のそれぞれを筒状部に挿通し、各筒状部の間に板状の水掻き部を設けるようにしたので、水を掻く際の水に対する抵抗を少しもつことになり、体への負担も比較的少なく、水を有効に掻くことができる効果がある。
【発明を実施するための最良の形態】
【００１８】
以下、本発明の実施形態に係る水掻き補助具につき、添付図面を参照しつつ説明する。
（第一実施形態）
第一実施形態に係る水掻き補助具１について図１〜図１２を参照して説明する。図１は、本発明の第一実施形態に係る水掻き補助具を手の甲側から見た斜視図、図２は、図１の水掻き補助具を掌側から見た斜視図、図３は、図１の水掻き補助具の手の甲側から見た平面図、図４は、図１の水掻き補助具の掌側から見た平面図、図５は、図１の水掻き補助具を指先側から見た図、図６は、図１の水掻き補助具を指の根元側から見た図、図７は、図１の水掻き補助具を中指側から見た図、図８は、図１の水掻き補助具を人差し指側から見た図、図９は、図１のＡ−Ａ線断面図、図１０は、図１のＢ−Ｂ線断面におけるＣ−Ｃ線断面図、図１１は、図１の水掻き補助具を実装した状態を手の甲側から見た斜視図、図１２は、図１の水掻き補助具を掌側から見た斜視図である。なお、便宜上、右手に装着される水掻き補助具のみを図示しているが、左右で一対のものを備えているものとする。
第一実施形態に係る水掻き補助具１は、図１〜図１２に示すように、手Ｈの指Ｈ１〜Ｈ５のうち、人差し指Ｈ２と中指Ｈ３とが挿通される一対の筒状部２ａ，２ｂと、該各筒状部２ａ，２ｂの間を連結する板状の水掻き部１０と、該筒状部２ａ，２ｂに形成される孔３と、筒状部２ａ，２ｂに突設される摘み部５とを備えている。
【００１９】
上記筒状部２ａ，２ｂは、伸縮性及び可撓性並びに紫外線に強い性質を有する、ネオプレーン、シリコーン、合成樹脂製のいずれかの素材を選択して作製されている。各筒状部２ａ，２ｂは、図１〜図６に示すように、基端部から先端部に向かうにしたがって細くなっており、各筒状部２ａ，２ｂの距離は、先端部に向かうにしたがって大きくなっている。そして、図７及び図８に示すように、人差し指Ｈ２が挿通される筒状部２ａは、中指Ｈ３が挿通される筒状部２ｂよりも短くなっている。また、図１１及び図１２に示すように、各筒状部２ａ，２ｂの長さは装着した状態において、指先が臨出する程度の長さになっている。この理由としては、水を掻く以外に手Ｈで物を持つことを想定しているためである。また、自然体においては、指Ｈ１〜Ｈ５がまっすぐであることはなく、やや折れ曲がった状態になっているため、筒状部２ａ，２ｂは、図７及び図８に示すように、自然体での指の状態に合わせて湾曲している。また、筒状部２ａ，２ｂは、指先及び指の根元の開口端部にそれぞれリブＲが形成されており、両開口端部が補強されている。
【００２０】
上記孔３は図２、図４、図９に示すように、筒状部２ａ，２ｂの掌側であって、各指Ｈ２，Ｈ３の第二関節の部位に幅方向に沿って略楕円形状に形成される。この理由としては、指Ｈ２，Ｈ３の動き、即ち内側への曲がりによって、孔３の周縁部が伸展されるようなこともなく、孔３の周縁部の強度が比較的確保しやすい。また、指Ｈ２，Ｈ３の動きによって、筒状部２ａ，２ｂの内部に溜まっている水を外部に排水しやすくなる。さらに、孔３の周縁部にも、上記筒状部２ａ，２ｂと同様に、リブＲが形成されており、孔３の周縁部の補強がなされている。
【００２１】
上記摘み部５は、図１、図３、図４〜図１０に示すように、手Ｈの甲側の指骨に沿って、第一関節と第二関節の間、及び第二関節と根元の間にそれぞれ形成され、摘み部５の側断面は、根元側に向かうにしたがって勾配が大きくなる略直角三角形状になっており、水を掻いた際に下流側に受け流すように設計されている。
【００２２】
水掻き部１０は、図１〜図８、図１０に示すように、筒状部２ａ，２ｂと同様に、伸縮性及び可撓性並びに紫外線に強い性質を有するネオプレーン、シリコーン、合成樹脂製のいずれかの素材を選択して作製されている。そして、基端部から先端部に向かうにしたがって大きくなっており、略扇形状を呈している。また、基端部及び先端部の端縁部に沿ってリブＲが形成されており、基端部及び先端部の端縁部が補強されている。
【００２３】
このように、筒状部２ａ，２ｂ及び水掻き部１０が伸縮性及び可撓性を有すると供に、指先が筒状部２ａ，２ｂの開口端部から臨出するので、筒状部２ａ，２ｂを指Ｈ２，Ｈ３に装着した状態であっても、母指Ｈ１は自由に動かせるので、物を掴む等の作業も容易に行える。また、他の指Ｈ１，Ｈ４，Ｈ５も自由に動かせるので、水掻き補助具１を装着した状態であっても違和感が少ない。
【００２４】
つぎに使用態様について図１１及び図１２を参照して説明する。水掻き補助具１の基端部を摘んで、各筒状部２ａ，２ｂの基端部側の開口を人差し指Ｈ２及び中指Ｈ３の指先から挿入する。この際、筒状部２ａ，２ｂの内面が指Ｈ２，Ｈ３の皮膚に接触して挿入しづらい場合は、摘み部５を摘んで、筒状部２ａ，２ｂと指Ｈ２，Ｈ３とを離間させ、両者の接触部をできるだけ少なくして挿入するようにする。そして、各筒状部２ａ，２ｂが各指Ｈ２，Ｈ３の根元に達するまで挿入し、各筒状部２ａ，２ｂから指先が臨出すれば、装着完了になる。
【００２５】
そして、水を掻く力は、中指Ｈ３を境にして、母指側と小指側とでは母指側の配分が大きくなる。また、母指側において、人差し指Ｈ２と中指Ｈ３との間の空間が、水に対する接触面積が最も大きいと考えられる。したがって、この空間に水掻き１０を設けることで、各指Ｈ２，Ｈ３を無理に拡開することなく、自然体に近い状態で水を掻くことができる。
【００２６】
（第二実施形態）
つぎに第二実施形態について図１３〜図２４を参照して説明する。図１３は、本発明の第二実施形態に係る水掻き補助具を手の甲側から見た斜視図、図１４は、図１３の水掻き補助具を掌側から見た斜視図、図１５は、図１３の水掻き補助具の手の甲側から見た平面図、図１６は、図１３の水掻き補助具の掌側から見た平面図、図１７は、図１３の水掻き補助具を指先側から見た図、図１８は、図１３の水掻き補助具を指の根元側から見た図、図１９は、図１３の水掻き補助具を中指側から見た図、図２０は、図１３の水掻き補助具を人差し指側から見た図、図２１は、図１３のＡ−Ａ線断面図、図２２は、図１３のＢ−Ｂ線断面におけるＣ−Ｃ線断面図、図２３は、図１３の水掻き補助具を実装した状態を手の甲側から見た斜視図、図２４は、図１３の水掻き補助具を掌側から見た斜視図である。これらの図において、上記図１〜図１２と同一符号は同一もしくは相当するものを示し、異なる点は、水掻き補助具１Ａの筒状部２ａ，２ｂを、裏面に複数の突起１１，…が配設された水掻き部１０Ａで連結した点である。この突起１１，…は千鳥状に配設されている。即ち、水掻き部１０Ａの先端部側が多く配設されると共に、基端部側に向かうにしたがって、突起１１，…の数が少なくなっている。具体的には、水掻き部１０Ａの幅広の先端部に三つの突起１１，…が幅方向に所定の間隔をおいて配置され、その下側に、前記三つの突起１１，…の間に位置するように、二つの突起部１１，１１が幅方向に所定の間隔をおいて配置され、さらに下側に、前記二つの突起１１，１１の間に位置するように、一つの突起１１が配置され、最下部に、一つの突起１１が配置されている。最下部の突起１１を除いた状態では、仮想三角形の外形線（底辺と二つの斜辺）上に三つずつ配置されている。これらの突起１１，…の配列によって、水を掻く際に、上記実施形態１で説明した力配分に加えて、水が上流側から下流側に流れやすい複数の流路が形成されるようになり、水を掻く際の水に対する抵抗が少し大きくなり、推進力が落ちるのを補助することができ、体にあまり負担をかけることなく、水を掻くことができる。
【００２７】
そして、実装した状態においては、図２３及び図２４に示すように、水掻き部１０Ａの突起１１，…が掌側に位置するようになり、水を好適に掻くことができる形態が構成される。
【００２８】
（第三実施形態）
つぎに第三実施形態について図２５〜図３６を参照して説明する。図２５は、本発明の第三実施形態に係る水掻き補助具を手の甲側から見た斜視図、図２６は、図２５の水掻き補助具を掌側から見た斜視図、図２７は、図２５の水掻き補助具の手の甲側から見た平面図、図２８は、図２５の水掻き補助具の掌側から見た平面図、図２９は、図２５の水掻き補助具を指先側から見た図、図３０は、図２５の水掻き補助具を指の根元側から見た図、図３１は、図２５の水掻き補助具を中指側から見た図、図３２は、図２５の水掻き補助具を人差し指側から見た図、図３３は、図２５のＡ−Ａ線断面図、図３４は、図２５のＢ−Ｂ線断面におけるＣ−Ｃ線断面図、図３５は、図２５の水掻き補助具を実装した状態を手の甲側から見た斜視図、図３６は、図２５の水掻き補助具を掌側から見た斜視図である。これらの図において、上記図１〜図１２と同一符号は同一もしくは相当するものを示し、異なる点は、断面が略Ｍ字形状の水掻き部１０Ｂが設けられた点である。該水掻き部１０Ｂの断面形状は、Ｍ字ではあるものの、高さや曲がり大きくはなく、平板を緩やかに折り曲げた波形状であり、中指Ｈ２と人差し指Ｈ３の閉じ開きの動きに追従できるように形成されている。詳細に説明すると、水掻き部１０Ｂは、人差し指Ｈ２の筒状部２ａ、及び中指Ｈ３の筒状部２ｂの間に、連続する二つの突条体１２，１２が形成されている。具体的に説明すると、両突条体１２，１２は、人差し指Ｈ２の筒状部２ａ、及び中指Ｈ３の筒状部２ｂから緩やかに手Ｈの甲側に突出するように傾斜した二つの側壁１２ａ，１２ａと、該側壁１２ａ，１２ａの端部から互いに下向きに傾斜した二つの側壁１２ｂ，１２ｂと、該両側壁１２ｂ、１２ｂによって形成された溝１３とを備えている。また、水掻き部１０Ｂの形状は、換言すれば、蛇腹状であり、幅方向に伸縮できるように構成されている。また、傾斜した複数の側壁１２ａ，１２ａ，１２ｂ，１２ｂの間隔は、先端部に向かうにしたがって幅広になるように形成されている。さらに、各側壁１２ａ，１２ａ，１２ｂ，１２ｂによって、複数の流路が形成されている。加えて、水掻き部１０Ｂが蛇腹状であることから、各流路の幅は、水を掻く際の、人差し指Ｈ２と中指Ｈ３の微妙な閉じ開きの動きに応じて狭くなったり、広くなったりする。この各指Ｈ２，Ｈ３の動きは、水を掻く際の、水の抵抗に対応しているので、水が上流側から下流側へ水の流れを促進させることができる。したがって、体にあまり負担をかけることなく、水を掻くことができる。なお、ここでいう波形状とは、好ましくは、少なくとも手Ｈの甲側に二つ又は三つ程度の突条体１２，…が形成される波形状であって、しかも、その断面が緩やかな凹凸のある曲線を描き、人差し指Ｈ２と中指Ｈ３の微妙な閉じ開きの動きに応じて幅狭・幅広になりやすい波形状を言う。
【００２９】
そして、図３５及び図３６に示すように、実装された状態では、突条体１２，…の稜線が手Ｈの甲側に位置すると共に、互いに下降傾斜する側壁１２ｂ、１２ｂによって形成される溝１３が掌側に位置することになり、水を好適に掻くことができる形態が構成される。
【００３０】
なお、前記第一〜第三実施形態の場合、指Ｈ２，Ｈ３の根元に向かうにしたがって勾配が大きくなる側断面が略直角三角形状の摘み部５を形成するようにしたが、図３７に示すように、平断面が十字状の突条を有する摘み部５０を形成するようにしてもよい。
【００３１】
また、前記第一〜第三実施形態の場合、筒状部２ａ，２ｂの孔３を掌側に形成するようにしたが、図３８に示すように、筒状部２ａ，２ｂの強度を確保しつつ、筒状部２ａ，２ｂの全周面に孔３０を形成するようにしてもよい。この場合、排水効率が向上すると共に、通気性が良くなって蒸れを防止できる。
【００３２】
また、前記第一〜第三実施形態の場合、人差し指Ｈ２と中指Ｈ３とが挿通される筒状部２ａ，２ｂを設けるようにしたが、図３９に示すように、人差し指Ｈ２、中指Ｈ３及び薬指Ｈ４が挿通される筒状部２ａ〜２ｃを設けると共に、中指Ｈ３が挿通される筒状部２ｂと、薬指Ｈ４が挿通される筒状部２ｃとの間に水掻き部１００を設けるようにしてもよい。この場合、水に対する抵抗は少し大きくなる程度で、水を掻くのには効果的である。
【図面の簡単な説明】
【００３３】
【図１】本発明の第一実施形態に係る水掻き補助具を手の甲側から見た斜視図。
【図２】図１の水掻き補助具を掌側から見た斜視図。
【図３】図１の水掻き補助具の手の甲側から見た平面図。
【図４】図１の水掻き補助具の掌側から見た平面図。
【図５】図１の水掻き補助具を指先側から見た図。
【図６】図１の水掻き補助具を指の根元側から見た図。
【図７】図１の水掻き補助具を中指側から見た図。
【図８】図１の水掻き補助具を人差し指側から見た図。
【図９】図１のＡ−Ａ線断面図。
【図１０】図１のＢ−Ｂ線断面におけるＣ−Ｃ線断面図。
【図１１】図１の水掻き補助具を実装した状態を手の甲側から見た斜視図。
【図１２】図１の水掻き補助具を掌側から見た斜視図。
【図１３】本発明の第二実施形態に係る水掻き補助具を手の甲側から見た斜視図。
【図１４】図１３の水掻き補助具を掌側から見た斜視図。
【図１５】図１３の水掻き補助具の手の甲側から見た平面図。
【図１６】図１３の水掻き補助具の掌側から見た平面図。
【図１７】図１３の水掻き補助具を指先側から見た図。
【図１８】図１３の水掻き補助具を指の根元側から見た図。
【図１９】図１３の水掻き補助具を中指側から見た図。
【図２０】図１３の水掻き補助具を人差し指側から見た図。
【図２１】図１３のＡ−Ａ線断面図。
【図２２】図１３のＢ−Ｂ線断面におけるＣ−Ｃ線断面図。
【図２３】図１３の水掻き補助具を実装した状態を手の甲側から見た斜視図。
【図２４】図１３の水掻き補助具を掌側から見た斜視図。
【図２５】本発明の第三実施形態に係る水掻き補助具を手の甲側から見た斜視図。
【図２６】図２５の水掻き補助具を掌側から見た斜視図。
【図２７】図２５の水掻き補助具の手の甲側から見た平面図。
【図２８】図２５の水掻き補助具の掌側から見た平面図。
【図２９】図２５の水掻き補助具を指先側から見た図。
【図３０】図２５の水掻き補助具を指の根元側から見た図。
【図３１】図２５の水掻き補助具を中指側から見た図。
【図３２】図２５の水掻き補助具を人差し指側から見た図。
【図３３】図２５のＡ−Ａ線断面図。
【図３４】図２５のＢ−Ｂ線断面におけるＣ−Ｃ線断面図。
【図３５】図２５の水掻き補助具を実装した状態を手の甲側から見た斜視図。
【図３６】図２５の水掻き補助具を掌側から見た斜視図。
【図３７】摘み部が十字状に形成された水掻き補助具の平面図。
【図３８】筒状部の全体に複数の孔が形成された水掻き補助具の図。
【図３９】人差し指、中指、薬指が挿通される筒状部を有する水掻き補助具の図。
【符号の説明】
【００３４】
１〜１ｄ…水掻き補助具、２ａ，２ｂ，２ｃ…筒状部、３，３０…孔、５，５０…摘み部、１０，１０Ａ，１０Ｂ，１００…水掻き部、Ｈ…手、Ｈ１…母指、Ｈ２…人差し指、Ｈ３…中指、Ｈ４…薬指、Ｈ５…小指、Ｒ…リブ、１１…突起、１２…突条体、１２ａ，１２ｂ…側壁、１３…溝
【図１】
2010124930.tif 000003
【図２】
2010124930.tif 000004
【図３】
2010124930.tif 000005
【図４】
2010124930.tif 000006
【図５】
2010124930.tif 000007
【図６】
2010124930.tif 000008
【図７】
2010124930.tif 000009
【図８】
2010124930.tif 000010
【図９】
2010124930.tif 000011
【図１０】
2010124930.tif 000012
【図１１】
2010124930.tif 000013
【図１２】
2010124930.tif 000014
【図１３】
2010124930.tif 000015
【図１４】
2010124930.tif 000016
【図１５】
2010124930.tif 000017
【図１６】
2010124930.tif 000018
【図１７】
2010124930.tif 000019
【図１８】
2010124930.tif 000020
【図１９】
2010124930.tif 000021
【図２０】
2010124930.tif 000022
【図２１】
2010124930.tif 000023
【図２２】
2010124930.tif 000024
【図２３】
2010124930.tif 000025
【図２４】
2010124930.tif 000026
【図２５】
2010124930.tif 000027
【図２６】
2010124930.tif 000028
【図２７】
2010124930.tif 000029
【図２８】
2010124930.tif 000030
【図２９】
2010124930.tif 000031
【図３０】
2010124930.tif 000032
【図３１】
2010124930.tif 000033
【図３２】
2010124930.tif 000034
【図３３】
2010124930.tif 000035
【図３４】
2010124930.tif 000036
【図３５】
2010124930.tif 000037
【図３６】
2010124930.tif 000038
【図３７】
2010124930.tif 000039
【図３８】
2010124930.tif 000040
【図３９】
2010124930.tif 000041